(57)【要約】【課題】  従来の一般的なＵ型便座カバーは、装着後の使い心地は良いものの、装着時に取り付けづらいという大きな問題を抱えていた。開口部と左右二股を有するカバーの一方を取り付ける際、もう一方の未装着の側が便器内に落ちて濡れてしまうことが多かったのである。そのため従来の便座カバーをより簡単に、しかも衛生的に取り付けできるような改善が望まれていた。【解決手段】  そこで本発明は、便座カバー装着時にカバーが便器内に触れてしまうことのない様、考案されたものである。【選択図】図１
2007190329.tif 000002
【特許請求の範囲】
【請求項１】
便座への挿入口である開口部を有し、左右二股を備える便座カバーにおいて、二股の両端部分に相互間取り付け部を付した便座カバー。
【請求項２】
前記相互間取り付け部が面ファスナーである請求項１に記載の便座カバー。
【請求項３】
前記相互間取り付け部の支持面が綿素材である請求項１に記載の便座カバー。
【発明の詳細な説明】
【技術分野】
【０００１】  本発明は、装着をより簡単にし、装着時において便器内にカバーが触れないよう工夫された便座カバーに関する。
【背景技術】
【０００２】  従来より、洋便器の便座に使用する便座カバーとしてはＯ型とＵ型が一般的である。
ここでは特にＵ型便座カバーについて説明する。【０００３】  第５図は一般的なＵ型便器を示したものである。第６図は前記便器の便座部分を持ち上げた図である。第７図は一般的なＵ型便座カバーの図である。第８図は従来の一般的なＵ型便座カバーの取り付け例を示した図である。【０００４】  現在一般的に普及している洋式Ｕ型便座用カバーは便座の左右に挿入できるよう、生地が二股に分かれている。具体的には第７図にあるように左右両端部（５）から成り、挿入口である開口部（６）を備えている。【０００５】  装着方法としては、第８図のように便座カバー両端部（５）の片方ずつを順番に装着する。この場合、カバーの一方を取り付ける際に、もう一方の未装着の側のカバーが長すぎるため、先端部分（９）が便器内に触れてしまうことが多かった。【０００６】  主に家庭内で多く使用される便座カバーにおいては、家族や来客など複数の人間がカバーを共有することが考えられる。そのことからも、簡単で衛生的、しかも安定性のある取り付け方法が以前より望まれていた。
【発明の開示】
【発明が解決しようとする課題】
【０００７】  第８図は従来の一般的な便座カバーの取り付け例を示した図である。これまでの便座カバー装着方法によると、まず便座を上に持ち上げ、次に左右二股を持つカバーの両端部（５）を、挿入口である開口部（６）より片方ずつ装着した。この方法だと、一方を装着したあと、未装着の側のカバーが長く便器内に向けて垂れ下がり、便器内（３）（４）にカバーの先端（９）が触れてしまうことが多々見受けられた。よって本発明では、装着時に便座カバーが便器内に触れないよう、簡易で衛生的な装着を可能とすることを課題とした。
【問題を解決するための手段】
【０００８】  本発明にかかる便座カバーにおいては、洋便座に挿入して使用する便座カバーであり、左右二股を備えるカバーの両端に相互間取り付け部を設けることを特徴としている。
【発明の効果】
【０００９】  本発明による装着方法を用いると、簡単で衛生的に便座カバーを設定することができる。
【発明を実施するための最良の形態】
【００１０】  本発明における便座カバーは、挿入口である開口部と左右二股を有し、二股の両端部分に相互間取り付け部を設けたものである。【００１１】  相互間取り付け部については、便座カバー両端部のそれぞれ肌に触れない下側において設定し、用いられる接合物としては、面ファスナー、フック、シール、磁石、紐、あるいはボタンなど、相互に接合するもので使用の際の頻繁な取り外しに耐えうるものであれば何でもよい。【００１２】  通常の便座カバーの素材としては、パイル地など肌に心地よく保温性のある素材がカバー全体に用いられる。しかし、本発明では、相互間取り付け部を肌に触れない側に設定するため、カバー下側の素材としては、パイル地以外にも接合物の頻繁な取り外しによって傷みを受けにくい素材を選んで用いることができる。【００１３】  相互間取り付け部については、便座カバー両端部の幅広い箇所あるいは部分に設定することができるため、多様なサイズの便座に対応が可能である。【００１４】  また、二股の先端が閉じていない形の便座カバーに対しても、相互間取り付け部は同じように機能するため、本発明の利用が可能である。
【実施例】
【００１５】  以下、本発明の実施の形態について、図面を参照して説明する。【００１６】  第１図は、本発明の要部である相互間取り付け部を示した便座カバーの図である。第２図は、本発明便座カバーの装着時で、要部である相互間取り付け部が接合した状態を示した図である。第３図は、本発明便座カバーの取り付け後の状態を示した図である。第４図は、本発明にかかる便座カバーの装着完了状態を示した図である。【００１７】  第１図は本発明における便座カバーを示しており、挿入口である開口部（６）に加え、カバー両端（５）に相互間取り付け部（７）を備えている。【００１８】  相互間取り付け部（７）は装着の一時的にカバーの両端（５）を接合するものであり、ここでは市販のマジックテープを使用した。【００１９】  装着方法としては、まず第２図のように便座を持ち上げる。続いて便座カバーの相互間取り付け部（７）を接合した状態で、挿入口である開口部（６）からカバーを左右の便座にはめ込む。第２図では相互間取り付け部（７）はまだ接合している状態である。この状態でカバー開口部両端（８）を両手で一気に引き下ろす。すると相互間取り付け部（７）は自然に外れ、第３図のように簡単に装着が完了するのである。実際の便座使用時には、便座を倒して元の状態に戻せばよい（第４図）。【００２０】  便座カバーの素材には、ここではパイル地を使用したが、接合物が取り付けられるものであれば、綿やビニールなど、パイル地のほかにもあらゆる素材を使うことができる。【００２１】  また、相互間取り付け部に使う接合物については、カバー本体に直接取り付けるのではなく、カバーとの間にあて材を介在させて取り付けることも可能である。【００２２】  さらに、便座カバーの形態については二股の先端が閉じていない形のものに対しても、相互間取り付け部は閉じているものと同じように機能するため、本発明の利用は可能である。【００２３】  本発明の便座カバー装着方法だと、相互間取り付け部（７）によってカバーの両端（５）を一時的に接合するので、装着時にカバーの長さを短縮できる。そのため、従来のように便器内にカバーが触れてしまう心配がなく、ごく簡単に、しかも衛生的に便座カバーを装着することができるのである。
【図面の簡単な説明】本発明についての説明図【図１】本発明の要部である相互間取り付け部を示した便座カバーの図である。
【図２】本発明便座カバーの要部装着時の状態を示した図である。
【図３】本発明便座カバーの取り付け後の状態を示した図である。
【図４】本発明にかかる便座カバーの装着完了状態を示した図である。  背景技術についての説明図
【図５】一般的な洋式Ｕ型便座タイプの便器を示す紹介図である。
【図６】前記便器の便座部分を持ち上げた図である。
【図７】一般的な洋式Ｕ型便座用便座カバーの図である。
【図８】本発明以前の従来の一般的な便座カバーの取り付け例を示した図である。
【符号の説明】
１    便器蓋
２    便座
３    便器内
４    水部分
５    カバー両端部
６    カバー開口部
７    相互間取り付け部
８    カバー開口部両端
９    カバー先端部
【図１】
2007190329.tif 000003
【図２】
2007190329.tif 000004
【図３】
2007190329.tif 000005
【図４】
2007190329.tif 000006
【図５】
2007190329.tif 000007
【図６】
2007190329.tif 000008
【図７】
2007190329.tif 000009
【図８】
2007190329.tif 000010